【手続補正書】
【提出日】平成16年3月12日(2004.3.12)
【手続補正１】
【補正対象書類名】明細書
【補正対象項目名】全文
【補正方法】変更
【補正の内容】
【発明の名称】電気掃除機用集塵フィルター及びその集塵フィルターの包装体並びにその集塵フィルターを用いた電気掃除機
【特許請求の範囲】
【請求項１】通気性および可撓性を有する濾材で筒状に形成された袋状体と、前記袋状体に設けられた吸入口と、前記吸入口に取りつけられる塵埃吸込口を有する支持板とを備え、前記袋状体の開放両側端縁を巻き込み接着し、この巻き込み接着した接着部と支持板の間で前記袋状体の短辺方向に折りぐせを設けた電気掃除機用集塵フィルター。
【請求項２】袋状体の開放両側端縁を前方内側に巻き込み接着した請求項１記載の電気掃除機用集塵フィルター。
【請求項３】袋状体の長手方向の一方を、支持板の背面側に折り畳み、さらに前記支持板の少なくとも一片部が折り畳まれた前記袋状体の外方に突出している請求項１または２記載の電気掃除機用集塵フィルター。
【請求項４】袋状体の長手方向の一方を、支持板の前面側に折り畳んで前記支持板を覆うようにした請求項１または２記載の電気掃除機用集塵フィルター。
【請求項５】袋状体の長手方向の両側を、それぞれ支持板の前面側に折り畳んで前記支持板を覆うようにした請求項１または２記載の電気掃除機用集塵フィルター。
【請求項６】袋状体の長手方向の一方を、支持板の背面側に折り畳み、他方を支持板の前面側に折り畳んで前記支持板を覆うようにすると共に、前記支持板の少なくとも一片部が折り畳まれた前記袋状体の外方に突出している請求項１または２記載の電気掃除機用集塵フィルター。
【請求項７】袋状体の吸入口を筒状の貼着合せ目をはずしてかつ袋状体の端部近傍に設け、袋状体を吸入口のない端部側からロール状に巻きたたみ、袋状体は掃除機本体に挿入したとき吸入口のある端部がない端部より上方に位置するように形成し、かつ支持板の少なくとも一片部が巻きたたまれた前記袋状体の外方に突出して設けられたことを特徴とする電気掃除機用集塵フィルター。
【請求項８】請求項１〜７のいずれか１項に記載された電気掃除機用集塵フィルターを複数重ね合わせて収納した電気掃除機用集塵フィルターの包装体。
【請求項９】塵埃吸引用の電動送風機と、請求項１〜７のいずれか１項に記載された電気掃除機用集塵フィルター又は、請求項８に記載された電気掃除機用集塵フィルターの包装体に収納された電気掃除機用集塵フィルターを収納する集塵室と、同集塵フィルターに設けた支持板の塵埃吸込口を取りつけるための開口部を備えた電気掃除機。
【発明の詳細な説明】
【０００１】
【発明の属する技術分野】
本発明は、通気性および可撓性を有する紙等の濾材で形成された袋状体と塵埃吸込口を有する厚紙等で形成された支持板とで構成された電気掃除機用集塵フィルターに関するものである。
【０００２】
【従来の技術】
従来の電気掃除機用集塵フィルターは図９に示すものが一般的であり、以下図面にしたがって説明する。
【０００３】
図に示すように、通気性および可撓性を有する紙等の濾材で横長筒状に形成された袋状体２は、その一部でかつ長手方向に沿って蛇腹部１が設けられている。前記袋状体２に吸入口３を横長筒状の貼着合せ目４をはずして形成し、前記吸入口３に塵埃吸込口５を有する厚紙等で形成された支持板６を取り付けている。袋状体２の開放両側端縁７を後方内側に巻き込み接着していた。また、前記袋状体２の両側部が前記蛇腹部１に対して直交方向に前記支持板６の背面側に折りたたむようにしていた。
【０００４】
上記構成の電気掃除機用集塵フィルターの電気掃除機への装着につき図１０により説明する。電気掃除機本体１４の後部には塵埃吸込用の電動送風機１５を設け、電気掃除機本体１４の前部には電気掃除機用集塵フィルター１６を収納する集塵室１７を設けていた。集塵室１７には電気掃除機用集塵フィルター１６の支持板６の塵埃吸込口を取り付けるための開口部を設けていた。電気掃除機用集塵フィルター１６の装着方法であるが、集塵室１７の上方を開閉自在に覆う蓋体を開き、折りたたんだ状態の電気掃除機用集塵フィルター１６を集塵室１７内に挿入する。そして、支持板１６の塵埃吸込口と集塵室１７の開口部１８とが合致するように支持板６を集塵室１７内に固定する。特に、電気掃除機用集塵フィルター１６の袋状体２は折りたたまれているので、集塵室１７内に挿入する際、集塵室１７の開口端部あるいは蓋体などに袋状体２が引っかかり、挿入操作性を低下させないようにし、また、引っかかった状態で無理に挿入した際の袋状体２の破損を防止する。
【０００５】
【発明が解決しようとする課題】
このような従来の電気掃除機用集塵フィルター１６では、支持板６の背面側に折りたたんだ部分に凹凸が生じるため、図９の（Ｃ）に示すように重ねたとき不安定で支持板６の反り、変形が生じることやかさばり、多くのスペースをとるという課題があった。また、防臭などのための薬剤処理は使用者の手にふれないようにするため、袋状体２を２重に形成しその内紙に施しているが、薬剤成分が塵埃吸込口５から発散してしまうという課題もあった。そこで、本発明は上記課題を解決するもので、重ねたときにかさばらずスペースをとらない電気掃除機用集塵フィルターを提供することを目的とする。
【０００６】
【課題を解決するための手段】
上記目的を達成するために本発明は、通気性および可撓性を有する濾材で筒状に形成された袋状体と、前記袋状体に設けられた吸入口と、前記吸入口に取りつけられる塵埃吸込口を有する支持板とを備え、前記袋状体の開放両側端縁を巻き込み接着し、前記巻き込み接着した接着部と支持板の間で前記袋状体の短辺方向に折りぐせを設けた電気掃除機用集塵フィルターとしたので、折りたたみによる凹凸がなく、重ねたときかさばらず少ないスペースしか必要とせず、支持板の反りや変形が生じにくい。また、折りたたまないため袋状体に電気掃除機用集塵フィルターの使用方法を表示することもできる。
【０００７】
【発明の実施の形態】
本発明の請求項１記載の発明は、通気性および可撓性を有する濾材で筒状に形成された袋状体と、前記袋状体に設けられた吸入口と、前記吸入口に取りつけられる塵埃吸込口を有する支持板とを備え、前記袋状体の開放両側端縁を巻き込み接着し、前記接着部と支持板の間で前記袋状体の短辺方向に折りぐせを設けた電気掃除機用集塵フィルターとしたので、折りたたみによる凹凸がなく、重ねたときかさばらず少ないスペースしか必要とせず、支持板の反りや変形が生じにくい。また、折りたたまないため袋状体に電気掃除機用集塵フィルターの使用方法を表示することもできる。
【０００８】
本発明の請求項２記載の発明は、請求項１記載の発明の袋状体の開放両側端縁を前方内側に巻き込み接着するようにしたので、後方内側に巻き込み接着するより重ねたときに必要とするスペースが少なくてすみ、また袋状体が広がるとき巻き込み接着部分が袋状体の広がる方向と反対に設けてあるため袋状体が広がりやすい。
【０００９】
本発明の請求項３記載の発明は、請求項１または２記載の発明の袋状体の長手方向の一方を、支持板の背面側に折り畳み、さらに前記支持板の少なくとも一片部が折り畳まれた前記袋状体の外方に突出しているようにしたので、重ねるとき互い違いに重ねることにより、凹凸がなくかさばらず必要とするスペースが少なくてすみ、支持板の反り、変形が生じにくい。また、支持板の少なくとも一片部が折りたたまれた前記袋状体の外方に突出して設けられているため、支持板を使用者が手で持つことができ使用性がよい。
【００１０】
本発明の請求項４記載の発明は、請求項１または２記載の発明の袋状体の長手方向の一方を、支持板の前面側に折り畳んで前記支持板を覆うようにしたので、重ねるとき互い違いに重ねることにより凹凸がなくかさばらず必要とするスペースが少なくてすみ、支持板の反り、変形が生じにくい。また、袋状体の内側に薬剤処理が施しているとき塵埃吸込口から薬剤が発散することを防止する。
【００１１】
本発明の請求項５記載の発明は、請求項１または２記載の発明の袋状体の長手方向の両側を、それぞれ支持板の前面側に折り畳んで前記支持板を覆うようにしたため、重ねることにより凹凸がなくかさばらず必要とするスペースが少なくてすみ、支持板の反り、変形が生じにくい。また、袋状体の内側に薬剤処理が施しているとき塵埃吸込口から薬剤が発散することを防止する。
【００１２】
本発明の請求項６記載の発明は、請求項１または２記載の発明の袋状体の長手方向の一方を、支持板の背面側に折り畳み、他方を支持板の前面側に折り畳んで前記支持板を覆うようにすると共に、前記支持板の少なくとも一片部が折り畳まれた前記袋状体の外方に突出するようにしたため、支持板を使用者が手で持つことができ使用性がよく、また、袋状体の内側に薬剤処理が施しているとき塵埃吸込口から薬剤が発散することを防止する。
【００１３】
本発明の請求項７記載の発明は、袋状体の吸入口を筒状の貼着合せ目をはずしてかつ袋状体の端部近傍に設け、袋状体を吸入口のない端部側からロール状に巻きたたみ、袋状体は掃除機本体に挿入したとき吸入口のある端部がない端部より上方に位置するように形成し、かつ支持板の少なくとも一片部が巻きたたまれた前記袋状体の外方に突出して設けられたことを特徴としたため、袋状体が自然に広がりやすく、また、集めた塵埃が袋状体の下方に集まるため電気掃除機用集塵フィルターを掃除機本体から取り出すとき塵埃が塵埃吸込口からこぼれることを防止する。また、塵埃を吸い込んだあと掃除機の運転を停止すると袋状体は広がっている状態から最初のロール状に戻ろうとするため袋状体の中の塵埃を圧縮することにより集塵容量が増加する。
【００１４】
本発明の請求項８記載の発明は、請求項１〜７のいずれか１項に記載された電気掃除機用集塵フィルターを複数重ね合わせて収納した包装体としたので、電気掃除機用集塵フィルターを重ねても凹凸がなくかさばらず包装体を小さくすることができる。
【００１５】
本発明の請求項９記載の発明は、塵埃吸引用の電動送風機と、請求項１〜７のいずれか１項に記載された電気掃除機用集塵フィルター又は、請求項８に記載された包装体に収納された電気掃除機用集塵フィルターを収納する集塵室と、同電気掃除機用集塵フィルターに設けた支持板の塵埃吸込口を取りつけるための開口部を備えた電気掃除機としたため、電気掃除機用集塵フィルターを収納する集塵室のスペースを少なくすることができる。
【００１６】
【実施例】
（実施例１）
以下に本発明の第１の実施例を図１、図２を用いて説明する。なお、従来例と同一構成部品については同一符号を付してその説明を省略する。
【００１７】
図１、図２に示すように、袋状体２の開放両側端縁を後方内側に巻き込み接着し、この接着した接着部８と支持板６との間に、蛇腹部１に対して直交方向に折りぐせ１０を前記袋状体２に設けるが、折りたたまないようにしている。
【００１８】
上記構成による作用は以下の通りである。すなわち、袋状体２の両側部９を折りたたまないため、袋状体２は折り畳みによる凹凸がなく、電気掃除機用集塵フィルターを重ねたときかさばらず、少ないスペースしか必要とせず、支持板６の反りや変形が生じにくい。また、折りたたまないため袋状体２に電気掃除機用集塵フィルターの使用方法を表示することもできる。さらに、折りぐせ１０が設けてあるため袋状体２を簡単に折りぐせ１０において折りまげることができ、電気掃除機の集塵室に容易に挿入することができる。
【００１９】
なお、本実施例では、折りぐせ１０を袋状体２の２カ所に設けたが、集塵室への挿入に支障なければ、折りぐせ１０を１カ所としてもよい。
【００２０】
（実施例２）
次に、本発明の第２の実施例を図３を用いて説明する。なお上記第１の実施例と同一構成部品については同一符号を付して、その説明を省略する。
【００２１】
第一実施例では、袋状体２の開放両側端縁を後方内側に巻き込み接着したが、本実施例では前方内側に巻き込みして接着した接着部８ａを設ける。
【００２２】
上記構成による作用は以下の通りである。すなわち、後方内側に巻き込み接着部分８があると、巻き込み接着部分８の厚さだけかさばるが、前方内側に巻き込み接着部分８を設けることにより重ねたときに必要とするスペースが少なくてすみ、また袋状体が広がるとき巻き込み接着部８ａが袋状体の広がる方向と反対に設けてあるため袋状体２が広がりやすい。
【００２３】
（実施例３）
次に、本発明の第３の実施例を図４を用いて説明する。なお上記第１の実施例と同一構成部品については同一符号を付して、その説明を省略する。
【００２４】
袋状体２の片側のみを支持板６の背面側に折りたたみ、かつ支持板６の一辺部６ａが折りたたまれた袋状体２の外方に突出するようにしている。
【００２５】
上記構成による作用は以下の通りである。すなわち、図４（ｂ）に示すように、重ねるとき支持板６の背面側同士を互い違いに重ねることにより、凹凸無しに重ねることができるため、かさばらず必要とするスペースが少なくてすみ、支持板６の反り、変形が生じにくい。なお、複数重ね合わせて収納する電気掃除機用集塵フィルターの包装体１３も、当然コンパクトになる。また、支持板６の一辺部６ａが折りたたまれた袋状体２の外方に突出して設けられているため、支持板６の一辺部６ａを使用者が手で持つことができ使用性がよい。
【００２６】
なお、本実施例では、支持板６の一辺部６ａにが折りたたまれた袋状体２から突出するようにしたが、支持板６の一辺部６ａと直交する他の辺部を折りたたまれた袋状体２から突出するようにしてもよく、また、支持板６の一辺部全体を突出させることもなく、少なくとも支持板６の一片部を突出させて、その一片部を使用者が手で持つことができるものであればよい。また、集塵室への挿入に支障なければ、折りぐせ１０を設けなくてもよい。
【００２７】
（実施例４）
次に、本発明の第４の実施例を図５を用いて説明する。なお上記第１の実施例と同一構成部品については同一符号を付して、その説明を省略する。
【００２８】
袋状体２の片側のみを支持板６の前面側に折りたたみ、支持板６を袋状体２の折りたたんだ部分２ａで覆った。
【００２９】
上記構成による作用は以下の通りである。すなわち、重ねるとき支持板６の背面側同士を互い違いに重ねることにより凹凸無しに重ねることができるため、かさばらず必要とするスペースが少なくてすみ、支持板６の反り、変形が生じにくい。また、袋状体２の内側に薬剤処理１１が施しているとき、袋状体２の折りたたんだ部分２ａにより塵埃吸込口５から薬剤が発散することを防止する。
【００３０】
なお、本実施例では、折りぐせ１０を設けたが、集塵室への挿入に支障なければ、折りぐせ１０を設けなくてもよい。
【００３１】
（実施例５）
次に、本発明の第５の実施例を図６を用いて説明する。なお上記第１の実施例と同一構成部品については同一符号を付して、その説明を省略する。
【００３２】
袋状体２の両側部９を支持板６の前面側に折りたたみ、この折りたたんだ部分で支持板６を覆っている。しかも、袋状体２を折りたたんだ状態で、両側部９の向かい合う端部が重ならないように、その両側部９の長さを設定している。
【００３３】
上記構成による作用は以下の通りである。すなわち、重ねるとき支持板６の前面側も背面側も凹凸が生じないため支持板６の反り、変形が生じにくい。また、袋状体２の内側に薬剤処理１１が施しているとき、塵埃吸込口５から薬剤が発散することを防止する。
【００３４】
（実施例６）
次に、本発明の第６の実施例を図７を用いて説明する。なお上記第１の実施例と同一構成部品については同一符号を付して、その説明を省略する。
【００３５】
袋状体２の両側部９のうち片側は支持板６の背面側に、残りの片側を前面側に折りたたんで支持板６を袋状体２で覆い、かつ支持板６の少なくとも一辺部が折りたたまれた袋状体２の外方に突出して設けた。
【００３６】
上記構成による作用は以下の通りである。すなわち、支持板６の少なくとも一辺部６ａが折りたたまれた袋状体２の外方に突出しているため、支持板６を使用者が手で持つことができ使用性がよく、また、袋状体２の内側に薬剤処理１１が施しているとき塵埃吸込口５から薬剤が発散することを防止する。
【００３７】
なお、本実施例では、支持板６の一辺部６ａにが折りたたまれた袋状体２から突出するようにしたが、支持板６の一辺部６ａと直交する他の辺部を折りたたまれた袋状体２から突出するようにしてもよく、また、支持板６の一辺部全体を突出させることもなく、少なくとも支持板６の一片部を突出させて、その一片部を使用者が手で持つことができるものであればよい。
【００３８】
（実施例７）
次に、本発明の第７の実施例を図８を用いて説明する。なお上記第１の実施例と同一構成部品については同一符号を付して、その説明を省略する。
【００３９】
袋状体２の吸入口３を、横長筒状の貼着合せ目をはずして、かつ、袋状体２の端部近傍に設け、袋状体２を吸入口３のない端部側からロール状１２に巻きたたみ、袋状体２は掃除機本体に挿入したとき、吸入口３のある端部がない端部より上方に位置するように形成し、かつ支持板６の少なくとも一辺部６ａが巻きたたまれた前記袋状体２の外方に突出して設けた。
【００４０】
上記構成による作用は以下の通りである。すなわち、袋状体２はロール状１２に巻きたたまれているため自然に広がりやすく、また、集めた塵埃が袋状体２の下方に集まるため電気掃除機用集塵フィルターを掃除機本体から取り出すとき塵埃が塵埃吸込口５からこぼれることを防止する。また、塵埃を吸い込んだあと掃除機の運転を停止すると袋状体は広がっている状態から最初のロール状に戻ろうとするため袋状体２の中の塵埃を圧縮することにより集塵容量が増加する。
【００４１】
なお、本実施例では、支持板６の一辺部６ａにが折りたたまれた袋状体２から突出するようにしたが、支持板６の一辺部６ａと直交する他の辺部を折りたたまれた袋状体２から突出するようにしてもよく、また、支持板６の一辺部全体を突出させることもなく、少なくとも支持板６の一片部を突出させて、その一片部を使用者が手で持つことができるものであればよい。
【００４２】
【発明の効果】
本発明の請求項１記載の発明によれば、通気性および可撓性を有する濾材で筒状に貼着合わせて形成された袋状体と、前記袋状体に設けられた吸入口と、前記吸入口に取りつけられる塵埃吸込口を有する支持板とを備え、前記袋状体の開放両側端縁を巻き込み接着し、前記接着部と支持板の間で前記袋状体の短辺方向に折りぐせを設けた電気掃除機用集塵フィルターとしたので、凹凸がなく重ねたときかさばらず少ないスペースしか必要とせず、支持板の反りや変形が生じにくい。また、折りたたまないため袋状体に電気掃除機用集塵フィルターの使用方法を表示することもできる。
【００４３】
本発明の請求項２記載の発明によれば、袋状体の開放両側端縁を前方内側に巻き込み接着するようにしたので、後方内側に巻き込み接着するより重ねたときに必要とするスペースが少なくてすみ、また袋状体が広がるとき巻き込み接着部分が袋状体の広がる方向と反対に設けてあるため袋状体が広がりやすい。
【００４４】
本発明の請求項３記載の発明によれば、袋状体の長手方向の一方を、支持板の背面側に折り畳み、さらに前記支持板の少なくとも一片部が折り畳まれた前記袋状体の外方に突出しているようにしたので、重ねるとき互い違いに重ねることにより凹凸がなくかさばらず必要とするスペースが少なくてすみ、支持板の反り、変形が生じにくい。また、支持板の少なくとも一片部が折りたたまれた袋状体の外方に突出して設けられているため、支持板を使用者が手で持つことができ使用性がよい。
【００４５】
本発明の請求項４記載の発明によれば、袋状体の長手方向の一方を、支持板の前面側に折り畳んで前記支持板を覆うようにしたので、重ねるとき互い違いに重ねることにより凹凸がなくかさばらず必要とするスペースが少なくてすみ支持板の反り、変形が生じにくい。また、袋状体の内側に薬剤処理が施しているとき塵埃吸込口から薬剤が発散することを防止する。
【００４６】
本発明の請求項５記載の発明によれば、袋状体の長手方向の両側を、それぞれ支持板の前面側に折り畳んで前記支持板を覆うようにしたため、重ねることにより凹凸がなくかさばらず必要とするスペースが少なくてすみ、支持板の反り、変形が生じにくい。また、袋状体の内側に薬剤処理が施しているとき塵埃吸込口から薬剤が発散することを防止する。
【００４７】
本発明の請求項６記載の発明によれば、袋状体の長手方向の一方を、支持板の背面側に折り畳み、他方を支持板の前面側に折り畳んで前記支持板を覆うようにすると共に、前記支持板の少なくとも一片部が折り畳まれた前記袋状体の外方に突出するようにしたため、支持板を使用者が手で持つことができ使用性がよく、また、袋状体の内側に薬剤処理が施しているとき塵埃吸込口から薬剤が発散することを防止する。
【００４８】
本発明の請求項７記載の発明によれば、袋状体の吸入口を筒状の貼着合せ目をはずしてかつ袋状体の端部近傍に設け、袋状体を吸入口のない端部側からロール状に巻きたたみ、袋状体は掃除機本体に挿入したとき吸入口のある端部がない端部より上方に位置するように形成し、かつ支持板の少なくとも一片部が巻きたたまれた前記袋状体の外方に突出して設けられたことを特徴としたため、袋状体が自然に広がりやすく、また、集めた塵埃が袋状体の下方に集まるため電気掃除機用集塵フィルターを掃除機本体から取り出すとき塵埃が塵埃吸込口からこぼれることを防止する。また、塵埃を吸い込んだあと掃除機の運転を停止すると袋状体は広がっている状態から最初のロール状に戻ろうとするため袋状体の中の塵埃を圧縮することにより集塵容量が増加する。
【００４９】
本発明の請求項８記載の発明によれば、請求項１〜７のいずれか１項に記載された電気掃除機用集塵フィルターを複数重ね合わせて収納した包装体としたので、電気掃除機用集塵フィルターを重ねても凹凸がなくかさばらず、包装体を小さくすることができる。
【００５０】
本発明の請求項９記載の発明によれば、塵埃吸引用の電動送風機と、請求項１〜７のいずれか１項に記載された電気掃除機用集塵フィルター又は、請求項８に記載された包装体に収納された電気掃除機用集塵フィルターを収納する集塵室と、同集塵フィルターに設けた支持板の塵埃吸込口を取りつけるための開口部を備えた電気掃除機としたため、電気掃除機用集塵フィルターを収納する集塵室のスペースを少なくすることができる。
【図面の簡単な説明】
【図１】本発明の第１の実施例を示す電気掃除機用集塵フィルターの斜視図
【図２】同電気掃除機用集塵フィルターの袋状体の斜視図
【図３】本発明の第２の実施例を示す電気掃除機用集塵フィルターの斜視図
【図４】（ａ）本発明の第３の実施例を示す電気掃除機用集塵フィルターの斜視図
（ｂ）同電気掃除機用集塵フィルターを複数重ねて収納した包装体の断面図
【図５】本発明の第４の実施例を示す電気掃除機用集塵フィルターの斜視図
【図６】本発明の第５の実施例を示す電気掃除機用集塵フィルターの斜視図
【図７】本発明の第６の実施例を示す電気掃除機用集塵フィルターの斜視図
【図８】（ａ）本発明の第７の実施例を示す電気掃除機用集塵フィルターの斜視図
（ｂ）同電気掃除機用集塵フィルターをロール状に巻きたたんだ状態の側面図
【図９】（ａ）従来の電気掃除機用集塵フィルターの袋状体の斜視図
（ｂ）従来の電気掃除機用集塵フィルターの斜視図
（ｃ）同電気掃除機用集塵フィルターの側面図
【図１０】同電気掃除機用集塵フィルターを装着した電気掃除機の断面図
【符号の説明】
２  袋状体
３  吸入口
５  塵埃吸込口
６  支持板
７  開放両側端縁
８  接着部
９  両側部
１０  折りぐせ